(57)【要約】【課題】本発明の課題は、ＶＰ回線が異常の場合はその中に存在するＶＣ回線も異常とし、また、この逆で全ＶＣ回線が異常の場合は、ＶＰ回線も異常とすることにより、効率よく異常を検出するＡＴＭネットワークにおけるＶＰ／ＶＣ回線警報検出方法を提供することにある。【解決手段】本発明は、ＡＴＭネットワークのＶＰ回線においてＶＰ回線故障表示セルを受信して回線警報を検出したとき、ＶＣ回線状態を監視するＦ５機能部１４にＶＰ回線故障表示セル検出を通知してＶＣ回線の回線警報を検出し、ＡＴＭネットワークの全ＶＣ回線においてＶＣ回線故障表示セルを受信して回線警報を検出したとき、ＶＰ回線状態を監視するＦ４機能部１３にＶＰ回線故障表示セル検出を通知してＶＰ回線の回線警報を検出することを特徴とする。【選択図】図１
2006279587.tif 000002
【特許請求の範囲】
【請求項１】
ＡＴＭネットワークのＶＰ回線においてＶＰ回線故障表示セルを受信して回線警報を検出したとき、ＶＣ回線状態を監視するＦ５機能部にＶＰ回線故障表示セル検出を通知してＶＣ回線の回線警報を検出し、
ＡＴＭネットワークの全ＶＣ回線においてＶＣ回線故障表示セルを受信して回線警報を検出したとき、ＶＰ回線状態を監視するＦ４機能部にＶＰ回線故障表示セル検出を通知してＶＰ回線の回線警報を検出することを特徴とするＡＴＭネットワークにおけるＶＰ／ＶＣ回線警報検出方法。
【発明の詳細な説明】
【技術分野】
【０００１】
本発明は、ＡＴＭ（Ａｓｙｎｃｈｒｏｎｏｕｓ  Ｔｒａｎｓｆｅｒ  Ｍｏｄｅ）ネットワークにおいて、ＶＰ（Ｖｉｒｔｕａｌ  Ｐａｓｓ）回線で回線警報を検出したときはＶＣ（Ｖｉｒｔｕａｌ  Ｃｈａｎｎｅｌ）回線でも回線警報を検出し、全ＶＣ回線で回線警報を検出したときはＶＰ回線でも回線警報を検出するＶＰ／ＶＣ回線警報検出方法に関する。
【背景技術】
【０００２】
図４はＡＴＭネットワークとＶＰ回線、ＶＣ回線の関係を示す説明図である。
【０００３】
光ファイバ、光ケーブル等より構成されるＡＴＭネットワークの物理的な帯域は２５Ｍｂｐｓであり、ＡＴＭネットワークの帯域のうちＶＰ１回線の帯域は１２Ｍｂｐｓ、ＶＰ２回線の帯域は８Ｍｂｐｓである。前記ＶＰ１回線の帯域のうちＶＣ１回線の帯域は１Ｍｂｐｓ、ＶＣ２回線の帯域は１Ｍｂｐｓ、……ＶＣｎ回線の帯域は３Ｍｂｐｓであり、前記ＶＰ２回線の帯域のうちＶＣ１回線の帯域は１Ｍｂｐｓ、…である。尚、ＶＰ回線およびＶＣ回線の帯域容量はユーザの任意で可変できる。
【０００４】
ＡＴＭのＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）であるネットワークの保守運用機能に関して、従来はＶＰ回線とＶＣ回線を別々に監視していた。すなわち、ＡＴＭレイヤのＯＡＭセルであるＡＩＳセル、ＲＤＩセルは、ＶＰ回線とＶＣ回線でそれぞれ別々に監視していた。ＶＰ回線ではＶＰ−ＡＩＳセルまたはＶＰ−ＲＤＩセルを監視し、ＶＣ回線ではＶＣ−ＡＩＳセルまたはＶＣ−ＲＤＩセルを監視していた。前記ＶＰ−ＡＩＳセルまたはＶＣ−ＡＩＳセルはＶＰ／ＶＣ回線のエンド・エンド間における順方向の故障表示セルであり、前記ＶＰ−ＲＤＩセルまたはＶＣ−ＲＤＩセルはＶＰ／ＶＣ回線のエンド・エンド間における逆方向の故障表示セルである。前記ＶＰ−ＡＩＳセルまたはＶＣ−ＡＩＳセルの受信側は前記ＶＰ−ＲＤＩセルまたはＶＣ−ＲＤＩセルを送信する。ＢＴＳではＶＰ−ＡＩＳセル、ＶＰ−ＲＤＩセル、ＶＣ−ＡＩＳセル、ＶＣ−ＲＤＩセルを受信した場合には回線警報（異常状態）を検出する。（ＩＴＵ−Ｔ  Ｉ．６１０規定）
このため、ＶＰ回線又はＶＣ回線で異常が発生した場合は、それぞれで回線警報を検出することになる。しかし、図４に示すように、ＶＣ回線はＶＰ回線配下の扱いになっており、ＶＰ回線においてＶＰ−ＡＩＳセルまたはＶＰ−ＲＤＩセルを検出した場合にはＶＣ回線においても回線警報を検出する必要があると考えられるが、従来はＶＰ回線又はＶＣ回線を別々に監視しているためＶＣ回線での回線警報を検出していない。また、ＶＰ回線にアサインされている全ＶＣ回線においてＶＣ−ＡＩＳセルまたはＶＣ−ＲＤＩセルを検出した場合も同様にＶＰ回線において回線警報を検出していない。すなわち、ＶＰ回線とＶＣ回線との関係は、ＶＰ回線の中に複数のＶＣ回線が存在する形となっており、通常ＶＰ回線に異常があった場合には、その中に存在するＶＣ回線も異常となるはずであるが、ＶＰ回線又はＶＣ回線を別々に監視しているためＶＣ回線も異常とすることができなかった。また、この逆で全ＶＣ回線が異常の場合は、ＶＰ回線を異常とすることができなかった。
【発明の開示】
【発明が解決しようとする課題】
【０００５】
本発明は上記の事情に鑑みてなされたもので、ＶＰ回線が異常の場合はその中に存在するＶＣ回線も異常とし、また、この逆で全ＶＣ回線が異常の場合は、ＶＰ回線も異常とすることにより、効率よく異常を検出するＡＴＭネットワークにおけるＶＰ／ＶＣ回線警報検出方法を提供することを目的とする。
【課題を解決するための手段】
【０００６】
上記目的を達成するために本発明のＡＴＭネットワークにおけるＶＰ／ＶＣ回線警報検出方法は、ＡＴＭネットワークのＶＰ回線においてＶＰ回線故障表示セルを受信して回線警報を検出したとき、ＶＣ回線状態を監視するＦ５機能部にＶＰ回線故障表示セル検出を通知してＶＣ回線の回線警報を検出し、ＡＴＭネットワークの全ＶＣ回線においてＶＣ回線故障表示セルを受信して回線警報を検出したとき、ＶＰ回線状態を監視するＦ４機能部にＶＰ回線故障表示セル検出を通知してＶＰ回線の回線警報を検出することを特徴とする。
【発明の効果】
【０００７】
本発明のＡＴＭネットワークにおけるＶＰ／ＶＣ回線警報検出方法は、ＶＰ回線又はＶＣ回線の一方に検出された回線警報状態を他方の回線状態に反映させることにより、効率よく回線異常を検出して、早期に故障を検出できると共により優先度の高い故障として検出することができる。
【発明を実施するための最良の形態】
【０００８】
以下図面を参照して本発明の実施の形態例を詳細に説明する。この実施形態例ではＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）小型無線基地局装置の伝送路処理部を用いてＶＰ−ＡＩＳセル又はＶＣ−ＡＩＳセルを検出した場合の処理を例にあげて説明する。
【０００９】
図１は本発明の実施形態例に係るＷ−ＣＤＭＡ小型無線基地局装置の伝送路処理部を示す構成説明図である。
【００１０】
図１において、１１はＷ−ＣＤＭＡ小型無線基地局装置の伝送路処理部、１２はＷ−ＣＤＭＡ小型無線基地局装置における回線状態を管理しているＨＷＹ機能部、１３はＶＰ回線状態を監視するＦ４（ＡＴＭレイヤで定義されるＦ４の層）機能部、１４はＶＣ回線状態を監視するＦ５（ＡＴＭレイヤで定義されるＦ５の層）機能部、１５はＡＴＭセルの送受信を制御するＡＴＭ機能部である。
【００１１】
図２は本発明の実施形態例に係るＶＰ−ＡＩＳセル検出シーケンスを示す説明図である。図２では使用するＶＣＩ（Ｖｉｒｔｕａｌ  Ｃｈａｎｎｅｌ  Ｉｄｅｎｔｉｆｉｅｒ）をＶＣＩ＝３３，３５，６４，７０とする。ＡＴＭ機能部１５は伝送路からＶＰ−ＡＩＳセルを受信すると、Ｆ４機能部１３に対しＶＰ−ＡＩＳセルの受信を通知する。Ｆ４機能部１３はＡＴＭ機能部１５からＶＰ−ＡＩＳセルの受信通知を受けると、ＨＷＹ機能部１２に対しＶＰ−ＡＩＳセル検出（警報検出）を通知すると共に、ＡＴＭ機能部１５に対しＶＰ−ＲＤＩセルの送信を要求する。ＡＴＭ機能部１５はＦ４機能部１３からのＶＰ−ＲＤＩセルの送信要求を受けると、伝送路に対してＶＰ−ＲＤＩセルを送信する。またＦ４機能部１３はＦ５機能部１４のＦ５処理部に対しＶＰ−ＡＩＳセル検出を通知する。Ｆ５機能部１４のＦ５処理部はＦ４機能部１３からのＶＰ−ＡＩＳセル検出通知を受けると、ＨＷＹ機能部１２に対しＶＰ−ＡＩＳセル検出（警報検出）を通知すると共に、ＡＴＭ機能部１５に対しＶＣ−ＲＤＩ（ＶＣＩ＝３３）セルの送信を要求し、ＡＴＭ機能部１５はＦ５機能部１４からのＶＣ−ＲＤＩ（ＶＣＩ＝３３）セルの送信要求を受けると、伝送路に対してＶＣ−ＲＤＩ（ＶＣＩ＝３３）セルを送信する。同様にＦ５機能部１４はＨＷＹ機能部１２に対しＶＰ−ＡＩＳセル検出（警報検出）を通知すると共に、ＡＴＭ機能部１５に対しＶＣ−ＲＤＩ（ＶＣＩ＝３５）セルの送信を要求し、ＡＴＭ機能部１５はＦ５機能部１４からのＶＣ−ＲＤＩ（ＶＣＩ＝３５）セルの送信要求を受けると、伝送路に対してＶＣ−ＲＤＩ（ＶＣＩ＝３５）セルを送信する。同様にＦ５機能部１４はＨＷＹ機能部１２に対しＶＰ−ＡＩＳセル検出（警報検出）を通知すると共に、ＡＴＭ機能部１５に対しＶＣ−ＲＤＩ（ＶＣＩ＝６４）セルの送信を要求し、ＡＴＭ機能部１５はＦ５機能部１４からのＶＣ−ＲＤＩ（ＶＣＩ＝６４）セルの送信要求を受けると、伝送路に対してＶＣ−ＲＤＩ（ＶＣＩ＝６４）セルを送信する。同様にＦ５機能部１４はＨＷＹ機能部１２に対しＶＰ−ＡＩＳセル検出（警報検出）を通知すると共に、ＡＴＭ機能部１５に対しＶＣ−ＲＤＩ（ＶＣＩ＝７０）セルの送信を要求し、ＡＴＭ機能部１５はＦ５機能部１４からのＶＣ−ＲＤＩ（ＶＣＩ＝７０）セルの送信要求を受けると、伝送路に対してＶＣ−ＲＤＩ（ＶＣＩ＝７０）セルを送信する。
【００１２】
図３は本発明の実施形態例に係るＶＣ−ＡＩＳセル検出シーケンスを示す説明図である。図２では使用するＶＣＩをＶＣＩ＝３３，３５，６４，７０とする。ＡＴＭ機能部１５は伝送路からＶＣ−ＡＩＳ（ＶＣＩ＝３３）セルを受信すると、Ｆ５機能部１４に対しＶＣ−ＡＩＳ（ＶＣＩ＝３３）セルの受信を通知する。Ｆ５機能部１４はＡＴＭ機能部１５からＶＣ−ＡＩＳ（ＶＣＩ＝３３）セルの受信通知を受けると、ＨＷＹ機能部１２に対しＶＣ−ＡＩＳ（ＶＣＩ＝３３）セル検出（警報検出）を通知すると共に、ＡＴＭ機能部１５に対しＶＣ−ＲＤＩ（ＶＣＩ＝３３）セルの送信を要求し、ＡＴＭ機能部１５はＦ５機能部１４からのＶＣ−ＲＤＩ（ＶＣＩ＝３３）セルの送信要求を受けると、伝送路に対してＶＣ−ＲＤＩ（ＶＣＩ＝３３）セルを送信する。同様にＡＴＭ機能部１５は伝送路からＶＣ−ＡＩＳ（ＶＣＩ＝３５）セルを受信すると、Ｆ５機能部１４に対しＶＣ−ＡＩＳ（ＶＣＩ＝３５）セルの受信を通知する。Ｆ５機能部１４はＡＴＭ機能部１５からＶＣ−ＡＩＳ（ＶＣＩ＝３５）セルの受信通知を受けると、ＨＷＹ機能部１２に対しＶＣ−ＡＩＳ（ＶＣＩ＝３５）セル検出（警報検出）を通知すると共に、ＡＴＭ機能部１５に対しＶＣ−ＲＤＩ（ＶＣＩ＝３５）セルの送信を要求し、ＡＴＭ機能部１５はＦ５機能部１４からのＶＣ−ＲＤＩ（ＶＣＩ＝３５）セルの送信要求を受けると、伝送路に対してＶＣ−ＲＤＩ（ＶＣＩ＝３５）セルを送信する。同様にＡＴＭ機能部１５は伝送路からＶＣ−ＡＩＳ（ＶＣＩ＝６４）セルを受信すると、Ｆ５機能部１４に対しＶＣ−ＡＩＳ（ＶＣＩ＝６４）セルの受信を通知する。Ｆ５機能部１４はＡＴＭ機能部１５からＶＣ−ＡＩＳ（ＶＣＩ＝６４）セルの受信通知を受けると、ＨＷＹ機能部１２に対しＶＣ−ＡＩＳ（ＶＣＩ＝６４）セル検出（警報検出）を通知すると共に、ＡＴＭ機能部１５に対しＶＣ−ＲＤＩ（ＶＣＩ＝６４）セルの送信を要求し、ＡＴＭ機能部１５はＦ５機能部１４からのＶＣ−ＲＤＩ（ＶＣＩ＝６４）セルの送信要求を受けると、伝送路に対してＶＣ−ＲＤＩ（ＶＣＩ＝６４）セルを送信する。同様にＡＴＭ機能部１５は伝送路からＶＣ−ＡＩＳ（ＶＣＩ＝７０）セルを受信すると、Ｆ５機能部１４に対しＶＣ−ＡＩＳ（ＶＣＩ＝７０）セルの受信を通知する。Ｆ５機能部１４はＡＴＭ機能部１５からＶＣ−ＡＩＳ（ＶＣＩ＝７０）セルの受信通知を受けると、ＨＷＹ機能部１２に対しＶＣ−ＡＩＳ（ＶＣＩ＝７０）セル検出（警報検出）を通知すると共に、ＡＴＭ機能部１５に対しＶＣ−ＲＤＩ（ＶＣＩ＝７０）セルの送信を要求し、ＡＴＭ機能部１５はＦ５機能部１４からのＶＣ−ＲＤＩ（ＶＣＩ＝７０）セルの送信要求を受けると、伝送路に対してＶＣ−ＲＤＩ（ＶＣＩ＝７０）セルを送信する。Ｆ５機能部１４のＦ５処理部は使用中の全ＶＣＩ＝３３，３５，６４，７０でＶＣ−ＡＩＳセルを検出したかをチェックし、全ＶＣＩ＝３３，３５，６４，７０でＶＣ−ＡＩＳセルを検出した場合、Ｆ４機能部１３のＦ４処理部にＶＰ−ＡＩＳセル検出を通知する。Ｆ４機能部１３のＦ４処理部はＦ５機能部１４のＦ５処理部からＶＰ−ＡＩＳセル検出通知を受けると、ＨＷＹ機能部１２に対しＶＰ−ＡＩＳセル検出（警報検出）を通知すると共に、ＡＴＭ機能部１５に対しＶＰ−ＲＤＩセルの送信を要求し、ＡＴＭ機能部１５はＦ４機能部１３のＦ４処理部からのＶＰ−ＲＤＩセルの送信要求を受けると、伝送路に対してＶＰ−ＲＤＩセルを送信する。
【００１３】
尚、上記実施形態例ではＶＰ−ＡＩＳセル又はＶＣ−ＡＩＳセルを検出した場合の処理を例にあげて説明したが、ＶＰ−ＲＤＩセル又はＶＣ−ＲＤＩセルを検出した場合の処理についても同様に実施することができる。
【００１４】
以上のように、ＶＰ回線においてＶＰ−ＡＩＳセル又はＶＰ−ＲＤＩセルを検出した場合にはＶＣ回線においても回線警報を検出することができ、また、全ＶＣ回線においてＶＣ−ＡＩＳセル又はＶＣ−ＲＤＩセルを検出した場合にはＶＰ回線においても回線警報を検出することができる。したがって、ＶＰ回線で検出されている警報状態を機能的に配下に位置するＶＣ回線の状態にも反映させることによって装置、及びシステム全体を通して早期に故障を検出できる機能を提供することができる。また、ＶＰ回線に割当てられているＶＣ回線にて警報を検出した場合にも同様に上位に位置するＶＰ回線の状態に反映させ、より優先度の高い故障として検出する機能を提供することができる。
【００１５】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００１６】
【図１】本発明の実施形態例に係るＷ−ＣＤＭＡ小型無線基地局装置の伝送路処理部を示す構成説明図である。
【図２】本発明の実施形態例に係るＶＰ−ＡＩＳセル検出シーケンスを示す説明図である。
【図３】本発明の実施形態例に係るＶＣ−ＡＩＳセル検出シーケンスを示す説明図である。
【図４】ＡＴＭネットワークとＶＰ回線、ＶＣ回線の関係を示す説明図である。
【符号の説明】
【００１７】
１１…Ｗ−ＣＤＭＡ小型無線基地局装置の伝送路処理部、１２…Ｗ−ＣＤＭＡ小型無線基地局装置における回線状態を管理しているＨＷＹ機能部、１３…ＶＰ回線状態を監視するＦ４（ＡＴＭレイヤで定義されるＦ４の層）機能部、１４…ＶＣ回線状態を監視するＦ５（ＡＴＭレイヤで定義されるＦ５の層）機能部、１５…ＡＴＭセルの送受信を制御するＡＴＭ機能部である。
【図１】
2006279587.tif 000003
【図２】
2006279587.tif 000004
【図３】
2006279587.tif 000005
【図４】
2006279587.tif 000006